(57)【要約】【課題】ユニットに対する十分な衝撃吸収性能を、簡単な構成で実現する。【解決手段】電子装置１０は、シェルフ２０と、ユニット４０と、傾斜面３１と、当接部５２と、弾性体４８とを備える。ユニット４０は、シェルフ２０の前後方向に沿ってシェルフ２０に挿入される。傾斜面３１は、シェルフ２０の内側の側面部２２に設けられ、側面視でシェルフ２０の前後方向に対して傾斜する。当接部５２は、ユニット４０の外側の側面部４２の一例であるスライド部材４３に設けられ、ユニット４０のシェルフ２０への挿入に伴い傾斜面３１と当接する。弾性体４８は、当接部５２をユニット４０の上下方向に弾性支持する。【選択図】図１
2018181958.tif 000002
【特許請求の範囲】
【請求項１】
シェルフと、
前記シェルフの前後方向に沿って前記シェルフに挿入されるユニットと、
前記シェルフの内側の側面部及び前記ユニットの外側の側面部の一方に設けられ、側面視で前記シェルフの前後方向に対して傾斜する傾斜面と、
前記シェルフの内側の側面部及び前記ユニットの外側の側面部の他方に設けられ、前記ユニットの前記シェルフへの挿入に伴い前記傾斜面と当接する当接部と、
前記当接部を前記ユニットの上下方向に弾性支持する弾性体と、
を備える電子装置。
【請求項２】
前記傾斜面、前記当接部、及び、前記弾性体は、側面視で前記ユニットの上下方向の長さの範囲内に配置されている、
請求項１に記載の電子装置。
【請求項３】
前記シェルフの内側の側面部及び前記ユニットの外側の側面部の一方に設けられると共に、前記傾斜面よりも前記シェルフの挿入方向先側に配置され、前記当接部と当接されるストッパ部をさらに備える、
請求項１又は請求項２に記載の電子装置。
【請求項４】
前記ユニットは、前記当接部が前記ストッパ部を通過した後に、前記シェルフのコネクタと接続されるコネクタを有する、
請求項３に記載の電子装置。
【請求項５】
前記傾斜面は、前記シェルフの内側の側面部に設けられ、
前記当接部及び前記弾性体は、前記ユニットの外側の側面部に設けられている、
請求項１〜請求項４のいずれか一項に記載の電子装置。
【請求項６】
前記シェルフの内側の側面部には、前記シェルフの幅方向内側に突出する被当接部が設けられ、
前記被当接部には、前記傾斜面と、前記傾斜面よりも前記シェルフの挿入方向先側に位置し前記シェルフの上下方向に延びる縦面とが形成され、
前記ユニットの外側の側面部には、前記当接部が挿入され前記ユニットの上下方向に延びる縦溝と、前記縦溝の上下方向一方側の端部から前記ユニットの上下方向周りの方向に沿って前記シェルフの挿入方向先側に延びる横溝とが設けられ、
前記弾性体は、前記当接部を前記縦溝の上下方向一方側の端部に位置決めする、
請求項１〜請求項５のいずれか一項に記載の電子装置。
【請求項７】
前記シェルフの内側の側面部には、前記ユニットを前記シェルフの前後方向に案内するガイド部材が設けられ、
前記傾斜面は、前記ガイド部材に設けられている、
請求項１〜請求項６のいずれか一項に記載の電子装置。
【請求項８】
前記ガイド部材は、前記シェルフの前後方向に延び、前記シェルフの上下方向に並ぶ一対のガイドレールを有し、
前記ユニットの外側の側面部には、前記ユニットの上下方向に並び、前記一対のガイドレールに案内される一対のスライドレールが設けられ、
前記傾斜面は、前記一対のガイドレールの間に配置され、
前記当接部及び前記弾性体は、前記一対のスライドレールの間に配置されている、
請求項７に記載の電子装置。
【請求項９】
前記弾性体は、前記ユニットの上下方向を軸方向とするコイルバネであり、
前記弾性体の一端は、前記当接部に固定され、
前記弾性体の他端は、前記ユニットに固定されている、
請求項１〜請求項８のいずれか一項に記載の電子装置。
【請求項１０】
前記ユニットは、前記シェルフの前面に形成された開口から前記シェルフに挿入され、
前記傾斜面、前記当接部、及び、前記弾性体は、前記シェルフの後側に配置されている、
請求項１〜請求項９のいずれか一項に記載の電子装置。
【発明の詳細な説明】
【技術分野】
【０００１】
本願の開示する技術は、電子装置に関する。
【背景技術】
【０００２】
電子装置としては、バックボードを有するシェルフと、このシェルフに挿入される複数のユニットとを備えるものがある。このような電子装置では、ユニットがシェルフに挿入されると、ユニットのコネクタがバックボードのコネクタに接続される。
【０００３】
ところで、このような電子装置において、一のユニットがシェルフに勢い良く挿入されると、シェルフにもともと挿入されていた他のユニットに衝撃が伝わり、この他のユニットとシェルフとのコネクタ接続が瞬間的に切断される“瞬断”が発生する虞がある。
【０００４】
そこで、ユニットを挿入する際の衝撃を吸収するための構造が提案されている（例えば、特許文献１、２参照）。すなわち、この提案構造は、ユニットがシェルフに挿入されていくと、シェルフの内側の側面部とユニットの外側の側面部との間に弾性体が介在し、この弾性体がユニットの幅方向に弾性変形することで衝撃が吸収されるものである。
【先行技術文献】
【特許文献】
【０００５】
【特許文献１】特開２００７−８７６１０号公報
【特許文献２】特開平２−２５６４７１号公報
【発明の概要】
【発明が解決しようとする課題】
【０００６】
しかしながら、通常は、シェルフの小型化のために、ユニットの外側の側面部がシェルフの内側の側面部に近づけて配置される。このため、ユニットの外側の側面部とシェルフの内側の側面部との間のスペースは狭くなっている。したがって、上記提案構造のように、弾性体がユニットの幅方向に弾性変形する構成では、弾性体の変形ストロークを確保することが困難であり、ユニットに対する衝撃吸収性能を十分に得られない虞がある。
【０００７】
そこで、本願の開示する技術は、一つの側面として、ユニットに対する十分な衝撃吸収性能を、簡単な構成で実現できる電子装置を提供することを目的とする。
【課題を解決するための手段】
【０００８】
上記目的を達成するために、本願の開示する技術に係る電子装置は、シェルフと、ユニットと、傾斜面と、当接部と、弾性体とを備える。ユニットは、シェルフの前後方向に沿ってシェルフに挿入される。傾斜面は、シェルフの内側の側面部及びユニットの外側の側面部の一方に設けられ、側面視でシェルフの前後方向に対して傾斜する。当接部は、シェルフの内側の側面部及びユニットの外側の側面部の他方に設けられ、ユニットのシェルフへの挿入に伴い傾斜面と当接する。弾性体は、当接部をユニットの上下方向に弾性支持する。
【発明の効果】
【０００９】
本願の開示する技術によれば、ユニットに対する十分な衝撃吸収性能を、簡単な構成で実現できる。
【図面の簡単な説明】
【００１０】
【図１】本実施形態に係る電子装置の斜視図である。
【図２】図１に示されるシェルフの斜視図である。
【図３】図２に示されるシェルフのＡ部の拡大斜視図である。
【図４】図１に示されるユニットの斜視図である。
【図５】図４に示されるユニットの側面図である。
【図６】図５に示されるユニットのＢ部の拡大斜視図である。
【図７】図６に示される衝撃吸収機構の斜視図である。
【図８】図７に示される衝撃吸収機構の分解斜視図である。
【図９】図１に示されるシェルフにユニットが挿入される前半の過程を示す側面図である。
【図１０】図１に示されるシェルフにユニットが挿入される後半の過程を示す側面図である。
【図１１】図１に示されるシェルフからユニットが抜去される前半の過程を示す斜視図である。
【図１２】図１に示されるシェルフからユニットが抜去される後半の過程を示す斜視図である。
【図１３】図１１に対応する上面図である。
【図１４】図１２に対応する上面図である。
【図１５】図３に示される被当接部の変形例を示す図である。
【図１６】図３に示される衝撃吸収機構の変形例を示す図である。
【発明を実施するための形態】
【００１１】
はじめに、本願の開示する技術の一実施形態に係る電子装置１０の構成を説明する。
【００１２】
図１は、本実施形態に係る電子装置１０の斜視図である。図１に示されるように、本実施形態に係る電子装置１０は、シェルフ２０と、複数のユニット４０（プラグインユニット）とを備える。図１及び以下に説明する各図において、矢印ＦＲ、矢印ＵＰ、矢印ＬＨは、シェルフ２０及びユニット４０の前後方向前側、上下方向上側、幅方向左側をそれぞれ示している。
【００１３】
シェルフ２０は、箱形に形成されている。このシェルフ２０の前面には、開口２１が形成されている。複数のユニット４０は、それぞれ概略平盤状に形成されている。複数のユニット４０は、シェルフ２０の上下方向に並んだ状態でシェルフ２０に収容される。各ユニット４０は、シェルフ２０の前側の開口２１からシェルフ２０に前後方向に沿って挿入される。シェルフ２０の後側は、シェルフ２０の挿入方向先側に相当する。
【００１４】
図２は、図１に示されるシェルフ２０の斜視図である。図２に示されるように、シェルフ２０の内側の側面部２２には、シェルフ２０の上下方向に並ぶ複数のガイド部材２３が設けられている。各ガイド部材２３には、シェルフ２０の前後方向に延びる一対のガイドレール２４が設けられている。一対のガイドレール２４は、シェルフ２０の上下方向に並んでいる。
【００１５】
図３は、図２に示されるシェルフ２０のＡ部の拡大斜視図である。図３に示されるように、ガイド部材２３は、上下一対のガイドレール２４を連結する連結部２５を有する。この連結部２５には、被当接部２６と、ストッパ部２７とが形成されている。被当接部２６及びストッパ部２７は、連結部２５に対してシェルフ２０の幅方向内側に突出している。
【００１６】
被当接部２６は、上下一対のガイドレール２４のうち上側のガイドレール２４側に配置されている。この被当接部２６は、側面視で直角三角形状を成している。被当接部２６には、傾斜面３１と縦面３２とが形成されている。傾斜面３１は、側面視でシェルフ２０の前後方向に対して傾斜する。この傾斜面３１は、より具体的には、シェルフ２０の後側に向かうに従ってシェルフ２０の下側に向かうようにシェルフ２０の前後方向に対して傾斜する。縦面３２は、傾斜面３１よりもシェルフ２０の後側に位置しており、シェルフ２０の上下方向に延びている。この縦面３２は、シェルフ２０の後側を向いており、上面視でＲ形状に形成されている。
【００１７】
ストッパ部２７は、上下一対のガイドレール２４のうち下側のガイドレール２４側に配置されている。また、このストッパ部２７は、被当接部２６よりもシェルフ２０の後側に配置されている。ストッパ部２７は、前面３３と上面３４とを有する。前面３３は、シェルフ２０の前側を向いており、上面３４は、シェルフ２０の上側を向いている。上下一対のガイドレール２４のうち上側のガイドレール２４とストッパ部２７との間には、隙間３５が確保されている。前面３３の上部は、シェルフ２０の上下方向に縦面３２の下部とオーバラップしている。
【００１８】
図４は、図１に示されるユニット４０の斜視図であり、図５は、図４に示されるユニット４０の側面図である。図４に示されるように、ユニット４０の後端部には、コネクタ４１が設けられている。また、図４、図５に示されるように、ユニット４０の外側の側面部４２には、スライド部材４３がそれぞれ設けられている。
【００１９】
スライド部材４３は、ユニット４０の前後方向に延びる一対のスライドレール４４を有する。一対のスライドレール４４は、ユニット４０の上下方向に並んでいる。このスライド部材４３は、一対のスライドレール４４が一対のガイドレール２４（図２参照）に案内されることにより、上述のガイド部材２３（図２参照）に案内される。そして、これにより、ユニット４０は、図１に示される如くシェルフ２０に前後方向に沿って挿入される。両側一対のスライド部材４３のうち一方のスライド部材４３には、衝撃吸収機構４５が設けられている。
【００２０】
図６は、図５に示されるユニット４０のＢ部の拡大斜視図であり、図７、図８は、図６に示される衝撃吸収機構４５の斜視図及び分解斜視図である。図６〜図８に示されるように、衝撃吸収機構４５は、カバー４６と、ハウジング４７と、弾性体４８と、当接部材４９とを有する。
【００２１】
カバー４６は、円盤状に形成されており、ハウジング４７は、概略有底円筒状に形成されている。ハウジング４７は、ユニット４０の上下方向を軸方向として配置されており、ハウジング４７の上端部は、開口している。カバー４６は、ハウジング４７の上端部に組み付けられており、ハウジング４７の上端部の開口を塞いでいる。
【００２２】
弾性体４８は、一例として、コイルバネである。この弾性体４８は、ユニット４０の上下方向を軸方向としてハウジング４７に収容されている。当接部材４９は、本体部５１と、当接部５２とを有する。本体部５１は、ユニット４０の上下方向に延びる円柱状に形成されており、当接部５２は、本体部５１の上下方向の中央部から本体部５１の径方向に延びるピン状に形成されている。
【００２３】
本体部５１の下部は、弾性体４８の上部に挿入されており、弾性体４８は、当接部材４９をユニット４０の上下方向の下側から弾性支持している。図７に示されるように、弾性体４８の一端４８Ａは、ハウジング４７の上側に向けて突出し、弾性体４８の周方向一方側から当接部５２に係止されている。一方、弾性体４８の他端４８Ｂは、ハウジング４７の下側に向けて突出し、ハウジング４７の底部に固定されている。
【００２４】
ハウジング４７には、縦溝５３と横溝５４とが形成されている。縦溝５３は、ユニット４０の上下方向に延びている。横溝５４は、縦溝５３と連続しており、縦溝５３の上端部からハウジング４７の周方向に沿ってユニット４０の後側に向けて延びている。通常時に、当接部５２は、弾性体４８によって縦溝５３の上端部に位置決めされる。
【００２５】
なお、縦溝５３の上端部は、「縦溝の上下方向一方側の端部」の一例であり、横溝５４は、「縦溝の上下方向一方側の端部からユニットの上下方向周りの方向に沿ってシェルフの挿入方向先側に延びる横溝」の一例である。
【００２６】
図５には、被当接部２６及びストッパ部２７と衝撃吸収機構４５との位置関係が明確になるように、ユニット４０の側面図に被当接部２６及びストッパ部２７が想像線で示されている。図５に示される被当接部２６及びストッパ部２７は、ユニット４０がシェルフ２０に挿入されたときの位置で示されている。
【００２７】
図５に示されるように、上述の被当接部２６、ストッパ部２７、及び、衝撃吸収機構４５は、スライド部材４３を形成する上下一対のスライドレール４４の間に配置されている。そして、これにより、被当接部２６、ストッパ部２７、及び、衝撃吸収機構４５は、側面視でユニット４０の上下方向の長さの範囲６０内に配置されている。また、衝撃吸収機構４５は、ユニット４０の後部に配置されており、被当接部２６及びストッパ部２７は、衝撃吸収機構４５の位置に対応して、シェルフ２０の後部に配置されている（図２参照）。
【００２８】
次に、上述のユニット４０がシェルフ２０に対して挿抜されるときの各部の動作と併せて電子装置１０の構造をさらに詳しく説明する。
【００２９】
（ユニット４０の挿入時）
はじめに、ユニット４０の挿入時について説明する。図９、図１０は、図１に示されるシェルフ２０にユニット４０が挿入される前半の過程及び後半の過程をそれぞれ示す側面図である。図９に示されるように、ユニット４０がシェルフ２０に挿入されていくと、ユニット４０の挿入に伴い当接部５２が傾斜面３１と当接する。
【００３０】
また、当接部５２が傾斜面３１に沿って移動（摺動）すると、当接部５２が傾斜面３１によって下側に押されることにより、当接部５２が縦溝５３に沿って下側に移動する。このように当接部５２が縦溝５３に沿って下側に移動するときには、当接部５２によって弾性体４８が圧縮方向に押圧され、弾性体４８が弾性変形する。
【００３１】
そして、このようにユニット４０の挿入に伴い弾性体４８が弾性変形することにより、ユニット４０の挿入時の衝撃が吸収される。これにより、シェルフ２０にもともと挿入されていた他のユニット４０に衝撃が伝わることが抑制されるので、この他のユニット４０とシェルフ２０とのコネクタ接続が瞬間的に切断される“瞬断”の発生が抑制される。
【００３２】
また、図１０に示されるように、ユニット４０がシェルフ２０にさらに挿入され、当接部５２が傾斜面３１を通過すると、当接部５２がストッパ部２７の前面３３に当接する。このように当接部５２がストッパ部２７の前面３３に当接することで、ユニット４０の挿入が一旦停止される。また、ユニット４０の挿入が一旦停止されると、弾性体４８の弾性力によって当接部材４９が押し上げられ、当接部５２が縦溝５３の上端部に移動する。
【００３３】
なお、シェルフ２０の後端部には、バックワイヤリングボード３６が設けられており、このバックワイヤリングボード３６には、ピン３７を有するコネクタ３８が設けられている。本実施形態では、一例として、上述の如く当接部５２が傾斜面３１を通過するときから当接部５２がストッパ部２７に当接するときまでの適宜タイミングで、コネクタ４１へのピン３７の挿入が開始される。
【００３４】
そして、ユニット４０の挿入が再開され、当接部５２が上側のガイドレール２４とストッパ部２７との間の隙間３５を通過すると、その直後に、コネクタ３８とコネクタ４１との接続が完了する。
【００３５】
（ユニット４０の抜去時）
続いて、ユニット４０の抜去時について説明する。図１１、図１２は、図１に示されるシェルフ２０からユニット４０が抜去される前半の過程及び後半の過程をそれぞれ示す斜視図である。また、図１３、図１４は、図１１、図１２にそれぞれ対応する上面図である。
【００３６】
図１１、図１３に示されるように、ユニット４０がシェルフ２０から引き抜かれていくと、当接部５２が上側のガイドレール２４とストッパ部２７との間の隙間３５を通過し、当接部５２が縦面３２に当接する。また、ユニット４０がシェルフ２０からさらに引き抜かれていくと、弾性体４８の捩り力に抗して当接部材４９が回転し、ピン状の当接部５２が横溝５４に沿ってユニット４０の後側に移動する。
【００３７】
そして、図１２、図１４に示されるように、ピン状の当接部５２がユニット４０の後側に傾倒した状態となり、当接部５２が被当接部２６の側面と接触しながら被当接部２６の側面に沿って移動し、やがて当接部５２が被当接部２６を乗り越える。
【００３８】
このようにして当接部５２が被当接部２６を乗り越えると、弾性体４８の捩り方向の復元力により当接部材４９が元の位置に回転し、当接部５２が横溝５４を通って縦溝５３の上端部に移動する。そして、この状態でユニット４０がシェルフ２０から抜去される。
【００３９】
次に、本実施形態の作用及び効果について説明する。
【００４０】
以上詳述したように、本実施形態に係る電子装置１０によれば、シェルフ２０の内側の側面部２２には、側面視でシェルフ２０の前後方向に対して傾斜する傾斜面３１が設けられている。また、ユニット４０の外側の側面部４２には、当接部５２が設けられており、この当接部５２は、弾性体４８によってユニット４０の上下方向に弾性支持されている。そして、ユニット４０がシェルフ２０に挿入されるときには、当接部５２が傾斜面３１と当接すると共に、この当接部５２が傾斜面３１に沿って移動する。また、当接部５２が傾斜面３１に沿って移動することに伴って弾性体４８がユニット４０の上下方向に弾性変形し、これにより、ユニット４０の挿入時の衝撃が吸収される。
【００４１】
ここで、弾性体４８が配置されるスペース、すなわち、シェルフ２０の内側の側面部２２とユニット４０の外側の側面部４２との間の限られたスペースでは、ユニット４０の幅方向よりも、ユニット４０の上下方向の方が長さを確保できる。したがって、弾性体４８がユニット４０の上下方向に弾性変形する構成とすることにより、弾性体４８の変形ストロークを長く確保できる。これにより、例えば、弾性体４８がユニット４０の幅方向に弾性変形する構成に比して、ユニット４０に対する衝撃吸収性能を十分に確保できる。
【００４２】
しかも、ユニット４０の挿入時の衝撃を吸収するために、傾斜面３１と、当接部５２と、弾性体４８とを有する簡単な構成が用いられている。したがって、ユニット４０に対する十分な衝撃吸収性能を、簡単な構成で実現できる。
【００４３】
また、シェルフ２０の内側の側面部２２には、ストッパ部２７が設けられている。このストッパ部２７は、傾斜面３１を有する被当接部２６よりもシェルフ２０の後側に配置されている。そして、ユニット４０がシェルフ２０の奥側に挿入され、当接部５２が傾斜面３１を通過すると、当接部５２がストッパ部２７の前面３３に当接する。これにより、ユニット４０の挿入を一旦停止させることができるので、ユニット４０のコネクタ４１がシェルフ２０のコネクタ３８に勢い良く接続されることを抑制できる。
【００４４】
また、図５に示されるように、傾斜面３１を有する被当接部２６と、前面３３を有するストッパ部２７と、当接部５２及び弾性体４８を有する衝撃吸収機構４５とは、側面視でユニット４０の上下方向の長さの範囲６０内に配置されている。したがって、シェルフ２０及びユニット４０の上下方向の拡大を抑制できるので、電子装置１０を上下方向に小型化できる。
【００４５】
また、図３に示されるように、被当接部２６及びストッパ部２７は、シェルフ２０の内側の側面部２２に設けられた一対のガイドレール２４の間のデッドスペースに配置されている。同様に、図６に示されるように、衝撃吸収機構４５も、ユニット４０の外側の側面部４２に設けられた一対のスライドレール４４の間のデッドスペースに配置されている。したがって、被当接部２６、ストッパ部２７、及び、衝撃吸収機構４５を追加しても、シェルフ２０及びユニット４０が上下方向及び幅方向に拡大することを抑制できるので、電子装置１０を小型化できる。
【００４６】
次に、本実施形態の変形例について説明する。
【００４７】
上記実施形態において、傾斜面３１は、シェルフ２０の内側の側面部２２に設けられ、当接部５２及び弾性体４８は、ユニット４０の外側の側面部４２に設けられている。しかしながら、傾斜面３１は、ユニット４０の外側の側面部４２に設けられ、当接部５２及び弾性体４８は、シェルフ２０の内側の側面部２２に設けられても良い。
【００４８】
また、上記実施形態では、シェルフ２０の下側を向いて形成された傾斜面３１に下側から当接部５２が当接すると共に、当接部５２がユニット４０の下側から弾性体４８によって支持されている。しかしながら、シェルフ２０の上側を向いて形成された傾斜面３１に上側から当接部５２が当接すると共に、当接部５２がユニット４０の上側から弾性体４８によって支持されていても良い。
【００４９】
また、上記実施形態において、衝撃吸収機構４５は、ユニット４０の後部に配置され、被当接部２６及びストッパ部２７は、衝撃吸収機構４５の位置に対応して、シェルフ２０の後部に配置されている。しかしながら、衝撃吸収機構４５は、ユニット４０の前部に配置され、被当接部２６及びストッパ部２７は、衝撃吸収機構４５の位置に対応して、シェルフ２０の前部に配置されていても良い。
【００５０】
また、上記実施形態において、当接部５２は、ピン状に形成されているが、ピン状以外の形状に形成されていても良い。
【００５１】
また、上記実施形態において、好ましくは、ストッパ部２７が用いられるが、ストッパ部２７が省かれても良い。
【００５２】
また、上記実施形態において、弾性体４８には、コイルバネが用いられているが、コイルバネ以外のバネが用いられても良い。
【００５３】
また、上記実施形態において、衝撃吸収機構４５は、ユニット４０の一方の外側の側面部４２に設けられているが、衝撃吸収機構４５は、ユニット４０の両側の外側の側面部４２に設けられていても良い。また、被当接部２６及びストッパ部２７も、シェルフ２０の両側の内側の側面部２２に設けられていても良い。
【００５４】
また、上記実施形態において、被当接部２６の縦面３２は、シェルフ２０の上下方向に沿って延びている。しかしながら、例えば、図１５に示されるように、縦面３２は、シェルフ２０の上側に向かうに従ってシェルフ２０の後側に向かうようにシェルフ２０の上下方向に対して傾斜していても良い。このように構成されていると、当接部５２が傾斜面３１を通過した直後に急激に上側に移動することを抑制して、当接部５２をストッパ部２７の前面３３に的確に当接させることができる。
【００５５】
また、上記実施形態において、当接部材４９の本体部５１は、弾性体４８の上部に挿入されている。しかしながら、例えば、図１６に示されるように、本体部５１の下端部に弾性体４８の上端部が当接していても良い。また、弾性体４８の一端４８Ａは、本体部５１の下端部に形成された孔５５に挿入され、弾性体４８の他端４８Ｂは、ハウジング４７の底部に形成された孔５６に挿入されても良い。
【００５６】
また、上記複数の変形例のうち、組み合わせ可能な変形例は、適宜組み合わされても良い。
【００５７】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００５８】
なお、上述の本願の開示する技術の一実施形態に関し、更に以下の付記を開示する。
【００５９】
（付記１）
シェルフと、
前記シェルフの前後方向に沿って前記シェルフに挿入されるユニットと、
前記シェルフの内側の側面部及び前記ユニットの外側の側面部の一方に設けられ、側面視で前記シェルフの前後方向に対して傾斜する傾斜面と、
前記シェルフの内側の側面部及び前記ユニットの外側の側面部の他方に設けられ、前記ユニットの前記シェルフへの挿入に伴い前記傾斜面と当接する当接部と、
前記当接部を前記ユニットの上下方向に弾性支持する弾性体と、
を備える電子装置。
（付記２）
前記傾斜面、前記当接部、及び、前記弾性体は、側面視で前記ユニットの上下方向の長さの範囲内に配置されている、
付記１に記載の電子装置。
（付記３）
前記シェルフの内側の側面部及び前記ユニットの外側の側面部の一方に設けられると共に、前記傾斜面よりも前記シェルフの挿入方向先側に配置され、前記当接部と当接されるストッパ部をさらに備える、
付記１又は付記２に記載の電子装置。
（付記４）
前記ユニットは、前記当接部が前記ストッパ部を通過した後に、前記シェルフのコネクタと接続されるコネクタを有する、
付記３に記載の電子装置。
（付記５）
前記傾斜面は、前記シェルフの内側の側面部に設けられ、
前記当接部及び前記弾性体は、前記ユニットの外側の側面部に設けられている、
付記１〜付記４のいずれか一項に記載の電子装置。
（付記６）
前記シェルフの内側の側面部には、前記シェルフの幅方向内側に突出する被当接部が設けられ、
前記被当接部には、前記傾斜面と、前記傾斜面よりも前記シェルフの挿入方向先側に位置し前記シェルフの上下方向に延びる縦面とが形成され、
前記ユニットの外側の側面部には、前記当接部が挿入され前記ユニットの上下方向に延びる縦溝と、前記縦溝の上下方向一方側の端部から前記ユニットの上下方向周りの方向に沿って前記シェルフの挿入方向先側に延びる横溝とが設けられ、
前記弾性体は、前記当接部を前記縦溝の上下方向一方側の端部に位置決めする、
付記１〜付記５のいずれか一項に記載の電子装置。
（付記７）
前記シェルフの内側の側面部には、前記ユニットを前記シェルフの前後方向に案内するガイド部材が設けられ、
前記傾斜面は、前記ガイド部材に設けられている、
付記１〜付記６のいずれか一項に記載の電子装置。
（付記８）
前記ガイド部材は、前記シェルフの前後方向に延び、前記シェルフの上下方向に並ぶ一対のガイドレールを有し、
前記ユニットの外側の側面部には、前記ユニットの上下方向に並び、前記一対のガイドレールに案内される一対のスライドレールが設けられ、
前記傾斜面は、前記一対のガイドレールの間に配置され、
前記当接部及び前記弾性体は、前記一対のスライドレールの間に配置されている、
付記７に記載の電子装置。
（付記９）
前記弾性体は、前記ユニットの上下方向を軸方向とするコイルバネであり、
前記弾性体の一端は、前記当接部に固定され、
前記弾性体の他端は、前記ユニットに固定されている、
付記１〜付記８のいずれか一項に記載の電子装置。
（付記１０）
前記ユニットは、前記シェルフの前面に形成された開口から前記シェルフに挿入され、
前記傾斜面、前記当接部、及び、前記弾性体は、前記シェルフの後側に配置されている、
付記１〜付記９のいずれか一項に記載の電子装置。
【符号の説明】
【００６０】
１０  電子装置
２０  シェルフ
２２  内側の側面部
２６  被当接部
２７  ストッパ部
３１  傾斜面
３２  縦面
３３  前面
３４  上面
３５  隙間
３６  バックワイヤリングボード
３８  コネクタ
４０  ユニット
４１  コネクタ
４２  外側の側面部
４３  スライド部材
４５  衝撃吸収機構
４８  弾性体
４９  当接部材
５１  本体部
５２  当接部
５３  縦溝
５４  横溝
６０  ユニットの上下方向の長さの範囲
【図１】
2018181958.tif 000003
【図２】
2018181958.tif 000004
【図３】
2018181958.tif 000005
【図４】
2018181958.tif 000006
【図５】
2018181958.tif 000007
【図６】
2018181958.tif 000008
【図７】
2018181958.tif 000009
【図８】
2018181958.tif 000010
【図９】
2018181958.tif 000011
【図１０】
2018181958.tif 000012
【図１１】
2018181958.tif 000013
【図１２】
2018181958.tif 000014
【図１３】
2018181958.tif 000015
【図１４】
2018181958.tif 000016
【図１５】
2018181958.tif 000017
【図１６】
2018181958.tif 000018